(57)【要約】  紙幣処理装置は、紙幣が入金される入金部と、入金部から入金された紙幣を識別する紙幣識別部と、を有する上部ユニットと、紙幣識別部で識別された紙幣を一時的に保留する一時保留部と、一時保留部で保留された紙幣を収納する紙幣収納部と、を有する下部ユニットと、を有する。このように、一時保留部は、下位ユニットに収容されるので、ユーザは、一時保留部のメンテナンスが容易となる。
2018168465.tif 000002
【特許請求の範囲】
【請求項１】
紙幣が入金される入金部と、前記入金部から入金された紙幣を識別する紙幣識別部と、を有する上部ユニットと、
前記紙幣識別部で識別された紙幣を一時的に保留する一時保留部と、前記一時保留部で保留された紙幣を収納する紙幣収納部と、を有する下部ユニットと、
を有する紙幣処理装置。
【請求項２】
前記上部ユニットの管理権限は、前記下部ユニットの管理権限とは異なる、
請求項１に記載の紙幣処理装置。
【請求項３】
前記一時保留部と前記紙幣収納部は、互いに隔離された領域に設けられ、前記一時保留部の管理権限は、前記紙幣収納部の管理権限とは異なる、
請求項１または２のいずれか一項に記載の紙幣処理装置。
【請求項４】
前記上部ユニット、前記下部ユニット、前記一時保留部、および前記紙幣収納部の少なくとも１つに、内部へのアクセスを制限する施錠部が設けられる、
請求項１乃至３のいずれか一項に記載の紙幣処理装置。
【請求項５】
前記上部ユニット、前記下部ユニット、前記一時保留部、および前記紙幣収納部の少なくとも２つのそれぞれに、内部へのアクセスを制限する施錠部が設けられ、
少なくとも２つの前記施錠部は、解錠するための鍵または解錠するために入力される情報がそれぞれ異なる、
請求項１乃至３のいずれか一項に記載の紙幣処理装置。
【請求項６】
前記施錠部は、
前記上部ユニットの内部へのアクセスを制限する第１の施錠部と、
前記一時保留部が設けられる領域へのアクセスを制限する第２の施錠部と、
前記紙幣収納部が設けられる領域へのアクセスを制限する第３の施錠部と、を含み、
前記第１の施錠部、前記第２の施錠部、および前記第３の施錠部は、解錠するための鍵または解錠するために入力される情報がそれぞれ異なる、
請求項５に記載の紙幣処理装置。
【請求項７】
前記紙幣収納部は金庫に収容され、
前記施錠部は、前記金庫の内部を外部と隔離する金庫扉に設けられる
請求項４乃至６のいずれか一項に記載の紙幣処理装置。
【請求項８】
前記下部ユニットの内部を外部と隔離する外扉を有し、
前記一時保留部は、前記金庫の外に設けられるとともに、前記施錠部は前記外扉に設けられる、
請求項７に記載の紙幣処理装置。
【請求項９】
前記金庫と前記外扉は、それぞれ装置の異なる方向に向けて開放される、
請求項８に記載の紙幣処理装置。
【請求項１０】
前記下部ユニットの内部を外部と隔離する外扉を有し、
前記一時保留部は、前記外扉を開けたときに、巻き取られる紙幣の内側にアクセス可能な姿勢で、前記外扉の内側に配置された巻取式収納部である、
請求項１乃至７のいずれか一項に記載の紙幣処理装置。
【請求項１１】
前記下部ユニットの内部を外部と隔離する外扉を有し、
前記一時保留部は、前記一時保留部の内部と外部とを隔離する隔離部材を有し、前記外扉を開けたときに、前記隔離部材にアクセス可能な姿勢で、前記外扉の内側に配置されたスタック式収納部である、
請求項１乃至７のいずれか一項に記載の紙幣処理装置。
【請求項１２】
前記下部ユニットの内部を外部と隔離する外扉を有し、
前記一時保留部は、前記一時保留部の内部と外部とを隔離する隔離部材を有し、外扉の前面から、前記隔離部材にアクセス可能な姿勢で、前記外扉の内側に配置されたスタック式収納部である、
請求項１乃至７のいずれか一項に記載の紙幣処理装置。
【請求項１３】
前記紙幣収納部は金庫に収容され、
前記一時保留部は、前記紙幣収納部を収容した金庫の中に収容されている、
請求項１乃至６のいずれか一項に記載の紙幣処理装置。
【発明の詳細な説明】
【技術分野】
【０００１】
本発明は、紙幣処理装置に関する。
【背景技術】
【０００２】
従来、上部の処理部と、中間部の第１金庫部と、下部の第２金庫部と、に大別された紙幣処理装置が存在する。この紙幣処理装置は、上部の処理部が、入金部、出金部、搬送部、識別部、および一時保留部等の様々な装置を有している（例えば、特許文献１参照）。
【先行技術文献】
【特許文献】
【０００３】
【特許文献１】特許第６０４２９５０号公報
【発明の概要】
【発明が解決しようとする課題】
【０００４】
しかしながら特許文献１では、上記したように様々な装置が上部の処理部に組み込まれているため、上部の処理部内は、様々な装置が入り組み、一時保留部へのアクセスが困難であるという問題がある。【０００５】
そこで本発明は、一時保留部へのアクセスを容易にする技術を提供することを目的とする。
【課題を解決するための手段】
【０００６】
本発明の紙幣処理装置は、紙幣が入金される入金部と、前記入金部から入金された紙幣を識別する紙幣識別部と、を有する上部ユニットと、前記紙幣識別部で識別された紙幣を一時的に保留する一時保留部と、前記一時保留部で保留された紙幣を収納する紙幣収納部と、を有する下部ユニットと、を有する。
【発明の効果】
【０００７】
本発明によれば、一時保留部へのアクセスが容易となる。
【図面の簡単な説明】
【０００８】
【図１】第１の実施の形態に係る紙幣処理装置の斜視図である。
【図２】図１の紙幣処理装置を＋ｙ軸方向から見た概略断面図である。
【図３】＋ｙ軸方向から見た搬送モジュールの概略断面図である。
【図４】図１の紙幣処理装置を＋ｙ軸方向から見た別の概略断面図である。
【図５】第２の実施の形態に係る紙幣処理装置を＋ｙ軸方向から見た概略断面図である。
【図６】下部ユニットの開閉扉を開けたときの一時保留部の概略斜視図である。
【図７】一時保留部を＋ｙ軸方向から見た概略断面図である。
【図８】図７の一時保留部と比較するための一時保留部の概略断面図である。
【図９】第３の実施の形態に係る紙幣処理装置を＋ｙ軸方向から見た概略断面図である。
【図１０】下部ユニットの開閉扉を開けたときの一時保留部の概略斜視図である。
【図１１】第４の実施の形態に係る紙幣処理装置を＋ｙ軸方向から見た概略断面図である。
【図１２】図１１の紙幣処理装置の斜視図である。
【図１３】第５の実施の形態に係る紙幣処理装置を＋ｙ軸方向から見た概略断面図である。
【発明を実施するための形態】
【０００９】
以下、本発明の実施の形態を、図面を参照して説明する。
【００１０】
［第１の実施の形態］
図１は、第１の実施の形態に係る紙幣処理装置１の斜視図である。図１に示す紙幣処理装置１は、例えば、銀行やスーパーマーケット等、大量に現金が取り扱われる分野において用いられる。例えば、紙幣処理装置１は、銀行窓口の出納業務や、スーパーマーケットの売上金業務等において、現金の入金や出金、計数、保管管理等に用いられる。以下では、紙幣処理装置１に対し、図１に示すｘ、ｙ、ｚ軸の直交座標系を設定する。
【００１１】
図１に示すように、紙幣処理装置１は、上部ユニット２ａと、下部ユニット２ｂと、に分けられる。
【００１２】
上部ユニット２ａは、入金部３と、出金部４ａ，４ｂと、上カバー５と、施錠部６と、を有している。入金部３は、紙幣処理装置１に入金する紙幣を投入する投入口である。出金部４ａ，４ｂは、紙幣処理装置１から出金された紙幣を取出す取出口である。また、出金部４ａ，４ｂは、リジェクト紙幣や識別できなかった紙幣等を取出す取出口である。
【００１３】
上カバー５は、上部ユニット２ａの少なくとも前面を覆うカバーである。上カバー５は、施錠部６によって、上部ユニット２ａ本体に施錠され、固定されている。上カバー５は、施錠部６による施錠が解除されると、以下で説明する上部ユニット２ａ内部の各種装置（例えば、図２に示す入金部３、出金部４ａ，４ｂ、制御部１１、搬送部１２、または識別部１３を参照）と共に、上部ユニット２ａ本体から前方へ引き出せるようになっている。
【００１４】
施錠部６は、上カバー５の前面に設けられている。施錠部６は、例えば、電子錠であり、上部ユニット２ａ内部のアクセスを制限する。例えば、施錠部６は、予め設定された暗証番号が入力されないと、上部ユニット２ａ内部の各種装置を上部ユニット２ａ本体から引き出せないようにしている。
【００１５】
これにより、施錠部６の暗証番号を知っている特定の権限を持ったユーザは、上部ユニット２ａ内部にアクセスできる。例えば、特定の権限を持ったユーザは、上部ユニット２ａ内部の各種装置にアクセスできる。
【００１６】
下部ユニット２ｂは、開閉扉７ａと、施錠部７ｂと、を有している。開閉扉７ａは、下部ユニット２ｂ内部にアクセスするための扉である。
【００１７】
開閉扉７ａの前面には、施錠部７ｂが設けられている。施錠部７ｂは、例えば、電子錠であり、下部ユニット２ｂ内部へのアクセスを制限する。例えば、開閉扉７ａは、施錠部７ｂに予め設定された暗証番号が入力されないと、開けることができないようになっている。
【００１８】
これにより、施錠部７ｂの暗証番号を知っている特定の権限を持ったユーザは、下部ユニット２ｂ内部にアクセスできる。例えば、特定の権限を持ったユーザは、以下で説明する下部ユニット２ａ内部の一時保留部または金庫（例えば、図２に示す一時保留部１４または金庫１５を参照）にアクセスできる。
【００１９】
なお、上記で説明した施錠部６，７ｂは、電子錠に限られない。施錠部６，７ｂは、例えば、シリンダー錠等であってもよい。
【００２０】
図２は、図１の紙幣処理装置１を＋ｙ軸方向から見た概略断面図である。図２において、図１と同じものには同じ符号が付してある。図２では、図１の紙幣処理装置１の形状等を簡略化して図示している。
【００２１】
図２に示すように、紙幣処理装置１の上部ユニット２ａは、制御部１１と、搬送部１２と、識別部１３と、を有している。
【００２２】
制御部１１は、紙幣処理装置１全体を制御する。例えば、制御部１１は、入金部３に入金された紙幣の入金処理を行う。具体的には、制御部１１は、搬送部１２を制御し、入金部３に入金された紙幣を識別部１３に搬送する。制御部１１は、識別部１３を制御し、紙幣の真贋、正損、または金種等を識別させる。制御部１１は、識別部１３の識別結果に基づいて、正常紙幣等を下部ユニット２ｂの一時保留部１４に一時保留し、リジェクト紙幣を出金部４ａ，４ｂに搬送する。そして、制御部１１は、例えば、ユーザによって、入金確定操作等が行われると、一時保留部１４に一時保留した紙幣を、紙幣収納部１８ａ〜１８ｅに搬送する。
【００２３】
また、制御部１１は、例えば、紙幣収納部１８ａ〜１８ｅに収納されている紙幣の出金処理を行う。具体的には、制御部１１は、ユーザからの出金要求に応じた紙幣を、紙幣収納部１８ａ〜１８ｅから繰出す。制御部１１は、搬送モジュール１７および搬送部１２を制御し、繰出した紙幣を出金部４ａ，４ｂに搬送する。制御部１１は、例えば、ＣＰＵ（Central Processing Unit）と、プログラムおよび所定のデータを記憶するメモリ等とを備えた装置によって、上記の機能を実現する。
【００２４】
搬送部１２は、ループ状の搬送路を有している。搬送部１２は、入金部３、出金部４ａ，４ｂ、一時保留部１４、搬送モジュール１７、および紙幣収納部１８ａ〜１８ｅと接続されている。搬送部１２は、制御部１１の指示に応じて、紙幣を各部へ搬送する。
【００２５】
識別部１３は、搬送部１２上に設けられている。識別部１３は、画像センサ、赤外線センサ、紫外線センサ、または磁気センサ等を備え、搬送部１２を搬送する紙幣の真贋、正損、または金種等を識別する。
【００２６】
下部ユニット２ｂは、一時保留部１４と、金庫１５と、開閉扉１６ａと、施錠部１６ｂと、搬送モジュール１７と、紙幣収納部１８ａ〜１８ｅと、を有している。
【００２７】
一時保留部１４は、例えば、入金部３に投入された紙幣を一時的に保留する。また、一時保留部１４は、例えば、出金処理時に発生したリジェクト紙幣等を一時的に保留する。一時保留部１４は、例えば、紙幣を巻き取るドラムを有した巻取式の保留部である。
【００２８】
一時保留部１４は、下部ユニット２ｂに配置される。例えば、一時保留部１４は、下部ユニット２ｂの金庫１５の前面と、開閉扉７ａとの間の空間に設置される。言い換えれば、一時保留部１４は、金庫１５外であって、下部ユニット２ｂ内に配置される。
【００２９】
ここで、上部ユニット２ａは、入金部３、出金部４ａ，４ｂ、制御部１１、搬送部１２、および識別部１３等の各種装置を有する。そのため、一時保留部１４を、上位ユニット２ａに配置すると、各種装置と入り組むことになり、ユーザは、一時保留部１４へのアクセスが困難となる。具体的には、施錠部６による施錠が解除され、上部ユニット２ａ内部の各種装置が前方へ引き出されても、入金部３、出金部４ａ，４ｂ、制御部１１、搬送部１２、または識別部１３などの各種装置が邪魔になり、一時保留部１４が外部からアクセスされにくい配置になることがある。そのため、一時保留部１４に滞留した紙幣を取り除いたり、一時保留部１４の部品を交換したりする作業が困難となる。
【００３０】
しかし、上記したように、一時保留部１４は、入金部３、出金部４ａ，４ｂ、制御部１１、搬送部１２、および識別部１３等の各種装置を有していない、下部ユニット２ｂに配置される。より具体的には、上記したように、金庫１５の前面と、開閉扉７ａとの間の空間に、一時保留部１４は配置される。施錠部７ｂによる施錠が解除され、開閉扉７ａが開かれると、一時保留部１４は外部に露出した状態とされる。
【００３１】
これにより、ユーザは、一時保留部１４に容易にアクセスでき、一時保留部１４のメンテナンスを容易に行うことができる。より具体的には、ユーザは、開閉扉７ａを開けると、一時保留部１４にアクセスでき、一時保留部１４のメンテナンスを容易に行うことができる。
【００３２】
金庫１５は、搬送モジュール１７と、紙幣収納部１８ａ〜１８ｅとを収容している。金庫１５は、前面に開閉扉１６ａと、施錠部１６ｂと、を有している。開閉扉１６ａは、金庫１５内部にアクセスするための扉である。
【００３３】
施錠部１６ｂは、開閉扉１６ａの前面に設けられている。施錠部１６ｂは、例えば、電子錠であり、金庫１５内部へのアクセスを制限する。例えば、開閉扉１６ａは、施錠部１６ｂに予め設定された暗証番号が入力されないと、開けることができないようになっている。
【００３４】
これにより、施錠部１６ｂの暗証番号を知っている特定の権限を持ったユーザは、金庫１５内部にアクセスできる。例えば、特定の権限を持ったユーザは、金庫１５内に収容されている紙幣収納部１８ａ〜１８ｅにアクセスできる。
【００３５】
搬送モジュール１７は、金庫１５内に収容されている。搬送モジュール１７は、金庫１５に対し、着脱可能となっている。搬送モジュール１７は、搬送部１２と、紙幣収納部１８ｂとを結ぶ搬送路を有している。
【００３６】
一時保留部１４は、内部に紙幣を収納する収納部である。また、紙幣収納部１８ａ〜１８ｅも、内部に紙幣を収納する収納部である。第１の実施の形態では、これらの収納部が下部ユニット２ｂに集中的に配置されている。一方、上部ユニット２ａには、内部に紙幣を収納する収納部が配置されていない。このように、紙幣処理装置１は、収納機能を有する下部ユニット２ｂと、紙幣の入出金や識別などの処理機能を有する上部ユニット２ａとの、機能的に区別されたユニットから構成される。
【００３７】
図３は、＋ｙ軸方向から見た搬送モジュール１７の概略断面図である。図３に示すように、搬送モジュール１７は、搬送部（搬送路）２１〜２３を有している。
【００３８】
搬送モジュール１７が金庫１５に装着された状態（例えば図２に示す状態）では、図３に示す搬送部２１は、図２の搬送部１２と接続された搬送部と接続される。また、図３に示す搬送部２２は、図２の紙幣収納部１８ｂの上側の収納部と接続された搬送部と接続される。また、図３に示す搬送部２３は、図２の紙幣収納部１８ｂの下側の収納部と接続された搬送部と接続される。
【００３９】
搬送モジュール１７は、紙幣の搬送経路を切替える複数の分岐部を有している。搬送モジュール１７は、制御部１１による分岐部の制御に応じて、紙幣の搬送先を切替える。
【００４０】
例えば、搬送モジュール１７は、図２の搬送部１２から搬送された紙幣を搬送部２２に搬送して、図２の紙幣収納部１８ｂの上側の収納部に搬送したり、図２の搬送部１２から搬送された紙幣を搬送部２３に搬送して、図２の紙幣収納部１８ｂの下側の収納部に搬送したりする。また、搬送モジュール１７は、図２の紙幣収納部１８ｂの上側の収納部から繰出された紙幣を搬送部２１に搬送して、図２の搬送部１２に搬送したり、図２の紙幣収納部１８ｂの下側の収納部から繰出された紙幣を搬送部２１に搬送して、図２の搬送部１２に搬送したりする。
【００４１】
搬送モジュール１７は、図２に示した紙幣収納部１８ａ〜１８ｅと入れ替えることができる。例えば、搬送モジュール１７は、図２に示した紙幣収納部１８ｃの位置に装着されることができる。この場合、図２の紙幣収納部１８ｄの位置には、２つの収納部を備えた紙幣収納部１８ｂが位置する。すなわち、紙幣処理装置１は、着脱式の搬送部モジュール１７によって、搬送路および紙幣収納部をフレキシブルに構成することができる。
【００４２】
図２の説明に戻る。紙幣収納部１８ａ〜１８ｅは、金庫１５内に収容されている。紙幣収納部１８ａ〜１８ｅは、金庫１５に対し、着脱可能となっている。
【００４３】
紙幣収納部１８ａ，１８ｃ〜１８ｅは、紙幣を収納および繰出す開口部を上面に有している。紙幣収納部１８ａ，１８ｃ〜１８ｅは、搬送部１２から搬送される紙幣を、上面に設けられた開口部から収納する。また、紙幣収納部１８ａ，１８ｃ〜１８ｅは、収納している紙幣を、上面に設けられた開口部から搬送部１２に繰出す。
【００４４】
紙幣収納部１８ｂは、上下方向（ｚ軸方向）において２つの収納部を有している。紙幣収納部１８ｂは、２つの収納部のそれぞれにおいて、紙幣を収納および繰出す開口部を側面に有している。紙幣収納部１８ｂは、搬送モジュール１７から搬送される紙幣を、側面に設けられた開口部から収納する。また、紙幣収納部１８ｂは、収納している紙幣を、側面に設けられた開口部から搬送モジュール１７に繰出す。
【００４５】
搬送モジュール１７および紙幣収納部１８ａ〜１８ｅは、例えば、金庫１５内の底面に設けられているレール（図示せず）の上に、金庫１５の前面および背面方向（ｘ軸方向）に可動するよう設置されている。これにより、ユーザは、搬送モジュール１７および紙幣収納部１８ａ〜１８ｅを、金庫１５の外に引き出すことができる。例えば、ユーザは、下部ユニット２ｂの開閉扉７ａを開け、一時保留部１４を外し、金庫１５の開閉扉１６ａを開けることにより、搬送モジュール１７および紙幣収納部１８ａ〜１８ｅを、金庫１５の外に引き出すことができる。また、ユーザは、金庫１５外に引き出した搬送モジュール１７および紙幣収納部１８ａ〜１８ｅを、金庫１５の中に収容することができる。
【００４６】
紙幣処理装置１の管理権限について説明する。まず、上部ユニット２ａと、下部ユニット２ｂは、図１で説明したように、それぞれ施錠部６と施錠部７ｂとを有している。これにより、上部ユニット２ａと、下部ユニット２ｂとの管理権限を、別々にすることができる。
【００４７】
さらに、下部ユニット２ｂ内の一時保留部１４と紙幣収納部１８ａ〜１８ｅは、施錠部１６ｂを有した金庫１５により、互いに隔離された領域に配置されている。例えば、一時保留部１４は、下部ユニット２ｂ内であって、金庫１５外に配置され、紙幣収納部１８ａ〜１８ｅは、下部ユニット２ｂ内であって、金庫１５内に配置されている。これにより、下部ユニット２ｂの一時保留部１４と、紙幣収納部１８ａ〜１８ｅとの管理権限を、別々にすることができる。
【００４８】
すなわち、紙幣処理装置１は、上部ユニット２ａと、下部ユニット２ｂの一時保留部１４と、下部ユニット２ｂの紙幣収納部１８ａ〜１８ｅとの管理権限を、別々にすることができる。
【００４９】
例えば、上部ユニット２ａ内にアクセスできる権限を持つユーザには、上部ユニット２ａの施錠部６の暗証番号を伝える。下部ユニット２ｂの一時保留部１４にアクセスできる権限を持つユーザには、下部ユニット２ｂの開閉扉７ａを開けるための施錠部７ｂの暗証番号を伝える。下部ユニット２ｂの紙幣収納部１８ａ〜１８ｅにアクセスできる権限を持つユーザには、下部ユニット２ｂの開閉扉７ａを開けるための施錠部７ｂの暗証番号と、金庫１５の開閉扉１６ａを開けるための施錠部１６ｂの暗証番号を伝える。これにより、上部ユニット２ａと、一時保留部１４と、紙幣収納部１８ａ〜１８ｅとの管理権限を別々にすることができる。
【００５０】
なお、施錠部６，７ｂ，１６ｂが、例えば、シリンダー錠である場合、シリンダー錠の鍵を、上部ユニット２ａと、一時保留部１４と、紙幣収納部１８ａ〜１８ｅとのそれぞれの管理権限を持つユーザに渡せばよい。
【００５１】
また、施錠部６，７ｂ，１６ｂの暗証番号は、各管理権限を有するユーザが、他の管理権限の部位にアクセスできないよう、異なる暗証番号にする。施錠部６，７ｂ，１６ｂがシリンダー錠の場合、各管理権限において、異なる鍵にする。
【００５２】
以上説明したように、紙幣処理装置１の上部ユニット２ａは、紙幣が入金される入金部３と、入金部３から入金された紙幣を識別する識別部１３と、を有する。下部ユニット２ｂは、識別部１３で識別された紙幣を一時的に保留する一時保留部１４と、一時保留部１４で一時保留された紙幣を収納する紙幣収納部１８ａ〜１８ｅと、を有する。このように、一時保留部１４は、下位ユニット２ｂに収容されるので、ユーザは、一時保留部１４のメンテナンスが容易となる。
【００５３】
また、一時保留部１４は、金庫１５の開閉扉１６ａと、下部ユニット２ｂの開閉扉７ａとの間に設けられる。これにより、紙幣処理装置１は、一時保留部１４を上部ユニット２ａに配置した場合より、装置の高さを低くすることができる。例えば、上部ユニット２ａは、入金部３や識別部１３等の各種装置を収容する。このため、仮に一時保留部１４を上部ユニット２ａに配置すると、上部ユニット２ａの高さが高くなってしまう。これに対し、一時保留部１４は、金庫１５の開閉扉１６ａと、下部ユニット２ｂの開閉扉７ａとの間に設けられるので、上部ユニット２ａの高さを低くできる。
【００５４】
また、紙幣処理装置１は、上部ユニット２ａの内部へのアクセスを制限する施錠部６と、一時保留部１４が設けられる領域へのアクセスを制限する施錠部７ｂと、紙幣収納部１８ａ〜１８ｅが設けられる領域へのアクセスを制限する施錠部１６ｂと、を有する。これにより、上部ユニット２ａと、下部ユニット２ｂの一時保留部１４と、下部ユニット２ｂの紙幣収納部１８ａ〜１８ｅとの管理権限を別々にすることができる。
【００５５】
また、上記したように、制御部１１は、入金部３に入金された紙幣を、一時保留部１４に一時保留し、ユーザによって、入金確定操作等が行われると、一時保留部１４に一時保留した紙幣を紙幣収納部１８ａ〜１８ｅに収納する。従って、一時保留部１４には、入金確定前および入金確定後の状態の紙幣が保留される。
【００５６】
一般的に入金確定前と入金確定後とでは、紙幣の管理権限が異なる。そのため、一時保留部１４は、管理権限の明確な領域に配置されるのが望ましい。紙幣処理装置１では、一時保留部１４は、下部ユニット２ｂの施錠部７ｂを有する開閉扉７ａと、施錠部１６ｂを有する金庫１５との間の領域に配置されるので、一時保留部１４の管理権限を明確にすることができる。
【００５７】
なお、上記では、一時保留部１４は、巻取式の保留部として説明したが、これに限られない。例えば、一時保留部１４は、スタック式の保留部であってもよい。
【００５８】
図４は、図１の紙幣処理装置１を＋ｙ軸方向から見た別の概略断面図である。図３において、図２と同じものには同じ符号が付してある。
【００５９】
図４に示すように、紙幣処理装置１は、スタック式の一時保留部３１を有している。一時保留部３１は、紙幣を印刷面に垂直な方向に積み重ねて収納する。
【００６０】
このように、一時保留部１４は、スタック式の保留部であってもよい。この場合も、巻取式の保留部と同様に、例えば、入金部３に投入された紙幣を一時的に保留したり、出金処理時に発生したリジェクト紙幣等を一時的に保留することができる。また、一時保留部１４をスタック式にすることで、巻取式に比べて収納枚数を多くすることができる。一時保留部１４の収納枚数を紙幣収納部１８ａと同等以上とすることで、紙幣収納部１８ａ〜１８ｅの紙幣を回収したり、紙幣収納部１８ａ〜１８ｅに紙幣を補充したりすることができる。さらに、一時保留部１４は、紙幣収納部１８ａ〜１８ｅと同じ構成としてもよい。
【００６１】
また、上記では、金庫１５の開閉扉１６ａを、金庫１５の前面に設けるとしたが、金庫１５の背面に設けてもよい。例えば、図４の矢印Ａ１に示す金庫１５の背面に、金庫１５内部にアクセスするための開閉扉と、その開閉扉を施錠する施錠部とを設けてもよい。この場合、一時保留部３１の管理権限を有するユーザは、紙幣処理装置１の前面からアクセスし、紙幣収納部１８ａ〜１８ｅの管理権限を有するユーザは、紙幣処理装置１の背面からアクセスする。このように、金庫１５の開閉扉および施錠部を、矢印Ａ１に示す背面に設けることにより、一時保留部３１の管理権限と、紙幣収納部１８ａ〜１８ｅの管理権限とを、紙幣処理装置１に対する方向からも、規制することができる。
【００６２】
また、従来、上部ユニット２ａに配置されていた一時保留部３１は、下部ユニット２ｂに配置される。これにより、上部ユニット２ａに配置されていた一時保留部３１のスペースに、ボックスを配置してもよい。例えば、図４の矢印Ａ２に示す点線のスペースに、ボックスを配置してもよい。ボックスには、例えば、リジェクト紙幣を収納し、または偽券の疑いのある紙幣を収納してよい。ボックスは、繰出機能を有さない収納専用庫としてよい。ボックスは、１以上、上部ユニット２ａに設けられてもよい。ボックスを、繰出機能を有さない収納専用庫とした場合は、紙幣処理装置１は、繰出収納機能を有する下部ユニット２ｂと、紙幣の入出金や識別などの処理機能と収納機能を有する上部ユニット２ａとの、機能的に区別されたユニットから構成される。
【００６３】
また、紙幣処理装置１は、３つの施錠部６，７ｂ，１６ｂを有するので、紙幣処理装置１の管理権限をどのように割り振るか、紙幣処理装置１を使用するユーザによって自由に決めることができる。
【００６４】
例えば、紙幣処理装置１を、上部ユニット２ａと、下部ユニット２ｂとの２つの管理権限に分ける場合、上部ユニット２ａの管理権限を有するユーザには、施錠部６の暗証番号を伝える。下部ユニット２ｂの管理権限を有するユーザには、施錠部７ｂの暗証番号と、施錠部１６ｂの暗証番号とを伝える。また、紙幣処理装置１を、上部ユニット２ａと、一時保留部１４と、紙幣収納部１８ａ〜１８ｅとの３つの管理権限に分ける場合、上部ユニット２ａの管理権限を有するユーザには、施錠部６の暗証番号を伝える。一時保留部１４の管理権限を有するユーザには、施錠部７ｂの暗証番号を伝える。紙幣収納部１８ａ〜１８ｅの管理権限を有するユーザには、施錠部７ｂ，１６ｂの２つの暗証番号を伝える。
【００６５】
なお、紙幣処理装置１は、上部ユニット２ａの内部へのアクセスを制限する施錠部６と、一時保留部１４が設けられる領域へのアクセスを制限するための、下部ユニット２ｂの開閉扉７ａの施錠部７ｂと、紙幣収納部１８ａ〜１８ｅが設けられる領域へのアクセスを制限するための、金庫１５の施錠部１６ｂとを有するものとしたが、これに限定されない。例えば、一時保留部１４自体に施錠部を設けることで、一時保留部１４の内部へのアクセスを制限するようにしてもよい。この場合は、施錠部７ｂと施錠部１６ｂのいずれか一方を省略しても同様の管理権限を設けることができる。また、紙幣処理装置１が設置されている空間の管理権限（例えば、部屋に入室できる権限）と、上部ユニット２ａの管理権限が同等の場合は、施錠部６を省略してもよい。また、紙幣処理装置１が設置されている空間の管理権限と、一時保留部１４の管理権限が同等の場合は、施錠部７ｂを省略してもよい。また、上部ユニット２ａの管理権限と一時保留部１４の管理権限が同等の場合は、施錠部６と施錠部７ｂを同じ鍵で解錠できる施錠部としてもよい。また、一時保留部１４の管理権限と紙幣収納部１８ａ〜１８ｅの管理権限が同等の場合は、施錠部７ｂと施錠部１６ｂを同じ鍵で解錠できる施錠部としてもよいし、施錠部１６ｂを省略してもよい。
【００６６】
このように、上部ユニット２ａ、下部ユニット２ｂ、一時保留部１４、および紙幣収納部１８ａ〜１８ｅの少なくとも１つに、内部へのアクセスを制限する施錠部が設けられてもよい。さらに、上部ユニット２ａ、下部ユニット２ｂ、一時保留部１４、および紙幣収納部１８ａ〜１８ｅの少なくとも２つに施錠部が設けられ、それらの施錠部は、解錠するための鍵または解錠するために入力される情報がそれぞれ異なるようにされてもよい。
【００６７】
［第２の実施の形態］
第２の実施の形態では、巻取式の一時保留部の構造による、下部ユニット２ｂへの取付け方について説明する。
【００６８】
図５は、第２の実施の形態に係る紙幣処理装置１を＋ｙ軸方向から見た概略断面図である。図５において、図２と同じものには同じ符号が付してある。
【００６９】
図５に示すように、紙幣処理装置１の下部ユニット２ｂは、巻取式の一時保留部４１を有している。一時保留部４１は、下部ユニット２ｂの開閉扉７ａの内側に設けられている。一時保留部４１は、以下で説明するが（例えば図７を参照）、開閉扉７ａを開けたとき、巻き取られる紙幣の内側にアクセス可能な姿勢で、開閉扉７ａの内側に設けられている。
【００７０】
一時保留部４１は、一時保留部の内部と外部とを隔離する隔離部材を有している。隔離部材は、例えば、開閉扉４２とされる。開閉扉４２は、一時保留部４１の内部にアクセスするための扉である。開閉扉４２は、一時保留部４１の開閉扉７ａに固定されている面とは反対側の面（金庫１５側の面）に設けられている。
【００７１】
図６は、下部ユニット２ｂの開閉扉７ａを開けたときの一時保留部４１の概略斜視図である。図６において、図５と同じものには同じ符号が付してある。図６には、一時保留部４１の他に、下部ユニット２ｂの開閉扉７ａと、金庫１５の開閉扉１６ａと、が示してある。
【００７２】
図６に示すように、一時保留部４１は、開閉扉７ａの内側に固定されている。従って、開閉扉７ａを開くと、下部ユニット２ｂの内側から、一時保留部４１が現れる。
【００７３】
図６には、開閉扉４２が開いた状態の一時保留部４１が示してある。ユーザは、図６に示すように、開閉扉４２を開けることにより、一時保留部４１の内部にアクセスできる。つまり、ユーザは、下部ユニット２ｂの開閉扉７ａを開け、一時保留部４１の開閉扉４２を開けることにより、一時保留部４１のメンテナンスを行うことができる。
【００７４】
一時保留部４１は、上面に開口部４３を有している。一時保留部４１は、開閉扉７ａが閉じられた状態において（例えば図５に示す開閉扉７ａの状態において）、搬送部１２から搬送される紙幣を、開口部４３から収納し、一時保留する。また、一時保留部４１は、一時保留した紙幣を、開口部４３から搬送部１２に繰出す。
【００７５】
図７は、一時保留部４１を＋ｙ軸方向から見た概略断面図である。図７において、図５と同じものには同じ符号が付してある。図７に示すように、一時保留部４１は、ドラム５１，５２と、テープ５３と、を有している。図７には、一時保留部４１に一時保留される紙幣Ｐ１も示してある。
【００７６】
ドラム５１は、紙幣Ｐ１を一時保留する場合、図７の矢印Ａ１１方向に回転する。また、テープ５３が巻き付けられているドラム５２は、紙幣Ｐ１を一時保留する場合、図７の矢印Ａ１２方向に回転する。ドラム５２に巻き付けられているテープ５３は、図７の矢印Ａ１２に示す回転によって、ドラム５１に繰出され、ドラム５１に繰出されたテープ５３は、図７の矢印Ａ１１に示す回転によって、ドラム５１に巻き取られる。
【００７７】
紙幣Ｐ１は、一時保留部４１に一時保留される場合、一時保留部４１内の搬送部（図示せず）によって、テープ５３と、ドラム５１の外周との間に搬送される。紙幣Ｐ１は、テープ５３と、ドラム５１の外周との間に挟まれて、ドラム５１に巻き取られる。
【００７８】
図７の矢印Ａ１３は、紙幣Ｐ１のドラム５１の外周に接する面を示している。すなわち、矢印Ａ１３は、ドラム５１に巻き取られる紙幣Ｐ１の内側を示している。
【００７９】
上記したように、一時保留部４１は、開閉扉７ａを開けたとき、巻き取られる紙幣Ｐ１の内側（矢印Ａ１３に示す面）にアクセス可能な姿勢で、開閉扉７ａの内側に設けられている。そのため、下部ユニット２ｂの開閉扉７ａを開けて、一時保留部４１の開閉扉４２を開けたとき、巻き取られる前または巻き取られる途中の紙幣Ｐ１の矢印Ａ１３に示す側の面には、テープ５３が存在しない。これにより、ユーザは、例えば、一時保留部４１内で紙幣のジャムが発生しても、容易にメンテナンスすることができる。なお、一時保留部４１の紙幣の繰出動作は、上記の収納動作とは逆の動作となる。
【００８０】
これに対し、次に説明するように、一時保留部４１が、巻き取られる紙幣Ｐ１の内側にアクセスできない姿勢で、開閉扉７ａの内側に設けられている場合、メンテナンスが困難となる。
【００８１】
図８は、図７の一時保留部４１と比較するための一時保留部４１ａの概略断面図である。図８に示す一時保留部４１ａは、図７に示した一時保留部４１とは異なり、ドラム５１ａに巻き取られる紙幣Ｐ１の内側（矢印Ａ１３ａに示す面）が、開閉扉７ａ側を向いている。このため、下部ユニット２ｂの開閉扉７ａを開けて、一時保留部４１ａの開閉扉４２ａを開けたとき、テープ５３ａの向こう側に紙幣Ｐ１ａが存在する。
【００８２】
従って、図８の例のような配置では、例えば、一時保留部４１ａ内で紙幣のジャムが発生すると、ユーザは、容易に紙幣Ｐ１ａにアクセスすることができず、メンテナンスが困難となる。
【００８３】
以上説明したように、巻取式の一時保留部４１は、開閉扉７ａを開けたとき、巻き取られる紙幣の内側にアクセス可能な姿勢で、開閉扉７ａの内側に配置される。これにより、ユーザは、一時保留部４１のメンテナンスを容易に行うことができる。
【００８４】
［第３の実施の形態］
第３の実施の形態では、スタック式の一時保留部の下部ユニット２ｂへの取付け方について説明する。
【００８５】
図９は、第３の実施の形態に係る紙幣処理装置１を＋ｙ軸方向から見た概略断面図である。図９において、図２と同じものには同じ符号が付してある。
【００８６】
図９に示すように、紙幣処理装置１の下部ユニット２ｂは、スタック式の一時保留部６１を有している。一時保留部６１は、下部ユニット２ｂの開閉扉７ａの内側に設けられている。一時保留部６１は、収容した紙幣にアクセスするための開閉扉６２を有している。
【００８７】
一時保留部６１は、ユーザが開閉扉７ａを開けたとき、開閉扉６２にアクセス可能な姿勢で、下部ユニット２ｂの開閉扉７ａの内側に固定されている。
【００８８】
図１０は、下部ユニット２ｂの開閉扉７ａを開けたときの一時保留部６１の概略斜視図である。図１０において、図９と同じものには同じ符号が付してある。図１０には、一時保留部６１の他に、下部ユニット２ｂの開閉扉７ａと、金庫１５の開閉扉１６ａと、が示してある。
【００８９】
図１０に示すように、一時保留部６１は、開閉扉７ａの内側に固定されている。従って、開閉扉７ａを開くと、下部ユニット２ｂの内側から、一時保留部６１が現れる。
【００９０】
図１０には、開閉扉６２が開いた状態の一時保留部６１が示してある。ユーザは、図１０に示すように、開閉扉６２を開けることにより、一時保留部６１の内部にアクセスできる。つまり、ユーザは、下部ユニット２ｂの開閉扉７ａを開け、一時保留部６１の開閉扉６２を開けることにより、一時保留部６１のメンテナンスを行うことができる。
【００９１】
一時保留部６１は、上面に開口部６３を有している。一時保留部６１は、開閉扉７ａが閉じられた状態において（例えば図９に示す開閉扉７ａの状態において）、搬送部１２から搬送される紙幣を、開口部６３から収納し、一時保留する。また、一時保留部６１は、一時保留した紙幣を、開口部６３から搬送部１２に繰出す。
【００９２】
以上説明したように、一時保留部６１は、収納した紙幣を取出すための開閉扉６２を有し、下部ユニット２ｂの開閉扉７ａを開けたとき、開閉扉６２にアクセス可能な姿勢で、開閉扉７ａに配置される。これにより、ユーザは、下部ユニット２ｂの開閉扉７ａを開け、一時保留部６１の開閉扉６２を開けることにより、一時保留部６１のメンテナンスを容易に行うことができる。
【００９３】
［第４の実施の形態］
第３の実施の形態では、図９に示したように、スタック式の一時保留部６１の開閉扉６２は、一時保留部６１の金庫１５側の面に設けられた。第４の実施の形態では、スタック式の一時保留部の開閉扉が、一時保留部の下部ユニット２ｂの開閉扉７ａ側の面に設けられる。
【００９４】
図１１は、第４の実施の形態に係る紙幣処理装置１を＋ｙ軸方向から見た概略断面図である。図１１において、図９と同じものには同じ符号が付してある。
【００９５】
図１１に示すように、紙幣処理装置１の下部ユニット２ｂは、スタック式の一時保留部７１を有している。一時保留部７１は、下部ユニット２ｂの開閉扉７ａの内側に設けられている。一時保留部７１は、収容した紙幣にアクセスするための開閉扉７２を有している。
【００９６】
一時保留部７１は、開閉扉７ａの前面から、ユーザが開閉扉７２にアクセス可能な姿勢で、下部ユニット２ｂの開閉扉７ａの内側に固定されている。
【００９７】
図１２は、図１１の紙幣処理装置１の斜視図である。図１２において、図１１と同じものには同じ符号が付してある。
【００９８】
図１２に示すように、一時保留部７１の開閉扉７２は、下部ユニット２ｂの前面からアクセスできるようになっている。開閉扉７２の前面には、施錠部８１が設けられている。
施錠部８１は、例えば、電子錠であり、一時保留部７１内部へのアクセスを制限する。例えば、一時保留部７１の開閉扉７２は、施錠部８１に予め設定された暗証番号が入力されないと、開けることができないようになっている。
【００９９】
以上説明したように、一時保留部７１は、開閉扉７ａの前面から、開閉扉７２にアクセス可能な姿勢で、開閉扉７ａの内側に配置される。これにより、ユーザは、下部ユニット２ｂの開閉扉７ａを開けなくても、一時保留部７１の開閉扉７２を開けることができ、一時保留部７１のメンテナンスを容易に行うことができる。
【０１００】
［第５の実施の形態］
第５の実施の形態では、一時保留部が金庫に収容される。
【０１０１】
図１３は、第５の実施の形態に係る紙幣処理装置１を＋ｙ軸方向から見た概略断面図である。図１３において、図２と同じものには同じ符号が付してある。
【０１０２】
図１３に示すように、紙幣処理装置１の下部ユニット２ｂは、金庫９１と、開閉扉９２ａと、施錠部９２ｂと、搬送モジュール９３と、一時保留部９４ａ，９４ｂと、紙幣収納部９５ａ〜９５ｈと、を有している。
【０１０３】
金庫９１の前面には、金庫９１内部にアクセスするための開閉扉９２ａが設けられている。開閉扉９２ａの前面には、施錠部９２ｂが設けられている。
【０１０４】
施錠部９２ｂは、例えば、電子錠であり、金庫９１内部へのアクセスを制限する。例えば、施錠部９２ｂは、施錠部９２ｂに予め設定された暗証番号が入力されないと、開けることができないようになっている。
【０１０５】
搬送モジュール９３は、金庫９１に収容されている。搬送モジュール９３は、図２で説明した搬送モジュール１７と同様に、紙幣の搬送経路を切替える複数の分岐部を有している。搬送モジュール９３は、制御部１１による分岐部の制御に応じて、紙幣の搬送先を切替える。
【０１０６】
例えば、搬送モジュール９３は、図１３の搬送部１２から搬送された紙幣を一時保留部９４ａ，９４ｂに搬送したり、紙幣収納部９５ａ〜９５ｈに搬送したりする。また、搬送モジュール９３は、一時保留部９４ａ，９４ｂから繰出された紙幣を搬送部１２に搬送したり、紙幣収納部９５ａ〜９５ｈから繰出された紙幣を搬送部１２に搬送したりする。
【０１０７】
一時保留部９４ａ，９４ｂは、巻取式の一時保留部である。一時保留部９４ａ，９４ｂは、金庫９１に収容されている。一時保留部９４ａ，９４ｂは、金庫９１に対し、着脱可能となっている。
【０１０８】
紙幣収納部９５ａ〜９５ｈは、巻取式の紙幣収納部である。紙幣収納部９５ａ〜９５ｈは、金庫９１に収容されている。紙幣収納部９５ａ〜９５ｈは、金庫９１に対し、着脱可能となっている。
【０１０９】
以上説明したように、一時保留部９４ａ，９４ｂは、紙幣収納部９５ａ〜９５ｈを収容した金庫９１の中に収容される。これによっても、一時保留部９４ａ，９４ｂのメンテナンスは容易となる。
【０１１０】
また、金庫９１は、施錠部９２ｂによって、上部ユニット２ａの管理権限と別の管理権限とすることができる。
【０１１１】
また、搬送部１２を搬送される紙幣は、搬送モジュール９３を介して、一時保留部９４ａ，９４ｂおよび紙幣収納部９５ａ〜９５ｂに搬送される。これにより、金庫９１は、搬送部１２と搬送モジュール９３とを結ぶ搬送部の開口を有していればよく、紙幣処理装置１は、セキュリティを高めることができる。例えば、図１３の例の場合、金庫９１は、搬送部１２と搬送モジュール９３とを結ぶ搬送部のための開口を１つ有している。これにより、紙幣処理装置１は、セキュリティを高めることができる。
【０１１２】
また、複数の一時保留部９４ａ，９４ｂを設けたことにより、以下のような処理が可能となる。例えば、入金処理において、入金された紙幣を、識別結果に基づいて、複数の一時保留部９４ａ，９４ｂに分類して一時保留することができる。例えば、金種ごとに分類してもよいし、正損ごとに分類してもよい。また、偽券の疑いのある紙幣だけを、別に分類してもよい。また、リジェクト紙幣とすべき紙幣だけを分類し、まとめて出金部４ａに排出してもよい。また、入金処理において、１つの一時保留部の収納枚数を超える枚数の入金があった場合は、複数の一時保留部９４ａ，９４ｂに分けて一時保留してもよい。また、複数の一時保留部９４ａ，９４ｂを、時間や収納枚数に基づいて、交互に使用してもよい。
【０１１３】
２０１７年３月１５日出願の特願２０１７−０４９７８７の日本出願に含まれる明細書、図面および要約書の開示内容は、全て本願に援用される。
【符号の説明】
【０１１４】
１  紙幣処理装置
２ａ  上部ユニット
２ｂ  下部ユニット
６  施錠部
７ａ  開閉扉
７ｂ  施錠部
１１  制御部
１２  搬送部
１３  識別部
１４  一時保留部
１５  金庫
１６ａ  開閉扉
１６ｂ  施錠部
１７  搬送モジュール
１８ａ〜１８ｅ  紙幣収納部
【図１】
2018168465.tif 000003
【図２】
2018168465.tif 000004
【図３】
2018168465.tif 000005
【図４】
2018168465.tif 000006
【図５】
2018168465.tif 000007
【図６】
2018168465.tif 000008
【図７】
2018168465.tif 000009
【図８】
2018168465.tif 000010
【図９】
2018168465.tif 000011
【図１０】
2018168465.tif 000012
【図１１】
2018168465.tif 000013
【図１２】
2018168465.tif 000014
【図１３】
2018168465.tif 000015
【国際調査報告】
2018168465.tif 000016
2018168465.tif 000017
2018168465.tif 000018
2018168465.tif 000019